(57)【要約】【課題】  記録材上のトナーの載り量を少なくすると、高濃度領域の色再現性を低下する。【解決手段】  同一色相であるが着色材含有量が異なる相互間で色濃度を濃淡異にするトナーを用いた該現像手段を個別に搭載した画像形成装置において、現像手段のうち濃度の低いトナーを有する現像装置のみを使用して画像形成を行う第１の画像形成モードと、前記現像手段のうち濃度の高いトナーを有する現像装置のみを使用して画像形成を行う第２の画像形成モードを有し、第２の画像形成モード時の画像形成速度が、前記第１の画像形成モード時の画像形成速度に比べて大きい画像形成装置を提供する。【選択図】  図３
2008158050.tif 000002
【特許請求の範囲】
【請求項１】
少なくとも一の像担持体と、イエロー、マゼンタ、シアン、ブラックの４色トナーのみで記録材上に画像を形成する第一画像形成モードと、イエロー、マゼンタ、シアン、ブラックの色の中で少なくとも一の色は第一画像形成モードに用いられる色に対して同じ色相で濃度が濃い色である色のトナーを用い、４色トナーのみで記録材上に画像を形成する第二画像形成モードと、を有する画像形成装置において、
第二画像形成モードで形成される画像の最大載り量は第一画像形成モードで形成される画像の最大載り量よりも小さく、第二画像形成モードにより形成される画像の最大濃度は第一画像形成モードにより形成される画像の最大濃度と実質的に同じであり、第二画像形成モードの単位時間当りの画像形成数は第一画像形成モードの単位時間当りの画像形成数よりも大きいことを特徴とする画像形成装置。
【請求項２】
第二画像形成モードでは、前記イエロー、マゼンタ、シアン、ブラックの各色と同じ色相で濃度が濃い色である濃イエロー、濃マゼンタ、濃シアン、濃ブラックのトナー像を形成するためのそれぞれの色トナーを現像する複数の濃トナー現像手段により記録材上にトナー像が形成されることを特徴とする請求項１に記載の画像形成装置。
【請求項３】
少なくとも一の像担持体と、記録材上に画像を形成するためのイエロー、マゼンタ、シアン、ブラックの各色のトナーにより現像する複数の現像手段と、記録材上に画像を形成するための前記イエロー、マゼンタ、シアン、ブラックの少なくとも一の色に対して同じ色相で濃度が濃い色であるトナーにより現像する少なくとも一の濃トナー現像手段と、を有し、複数の画像形成モードを有する画像形成装置において、
色相が同じで濃度が濃いトナーの現像手段と色相が同じで濃度が薄いトナーの現像手段とから画像形成モードに応じて使用するいずれかの現像手段を選択することを特徴とする画像形成装置。
【発明の詳細な説明】
【技術分野】
【０００１】
本発明は、電子写真方式・静電記録方式を用いて記録材上にトナー像を形成して画像形成物を出力する、複写機、プリンタ、ファクシミリ装置等の画像形成装置に関する。
【背景技術】
【０００２】
従来のフルカラー画像形成装置の一例を図１０を用いて説明する。この画像形成装置は、電子写真方式、中間転写ベルト方式のフルカラーレーザービームプリンタである。
【０００３】
１０１は像担持体としての電子写真感光体（感光ドラム）であり、矢印の半時計方向に所定の速度で回転駆動される。この感光ドラム１０１の周りに、前露光ランプ１０２、コロナ帯電器（帯電手段）１０３、レーザー露光光学系である露光手段１０４が配置されている。また、電位センサ１０５、回転式現像器保持部である移動体（現像ロータリー）１０６、中間転写ベルト装置１０７、感光ドラムクリーニング器１０８が配置されている。
【０００４】
現像ロータリー１０６には、マゼンタトナー現像器１０６Ｍ、シアントナー現像器１０６Ｃ、イエロートナー現像器１０６Ｙ、ブラックトナー現像器１０６Ｋの４つの色トナー現像器が装着されている。そして、回転式現像器保持部１０６の回転制御により感光ドラム１０１に対向して作用する現像器の順次切り替え移動がなされる。
【０００５】
中間転写ベルト装置１０７は、中間転写体としてのフレキシブルなエンドレスベルト状の中間転写ベルト１０７ａを用いるものである。そして、この中間転写ベルト１０７ａは懸回張設させた第１〜第４の４本の平行配列のベルト懸回ローラ１０７ｂ〜１０７ｅにより懸架されている。また、一次転写ローラ１０７ｆが、中間転写ベルト１０７ａの内側に配設され、中間転写ベルト１０７ａを挟んで感光ドラム１０１に圧している。二次転写ローラ１０７ｇは、中間転写ベルト１０７ａを挟んで第４のベルト懸回ローラ１０７ｅに圧している。また、中間転写ベルト１０７ａを挟んで第１のベルト懸回ローラ１０７ｂに当接するクリーニング装置１０７ｈが設けられている。
【０００６】
第１のベルト懸回ローラ１０７ｂは駆動ローラであり、中間転写ベルト１０７ａを矢印の時計方向に所定の速度で回転駆動する。第２のベルト懸回ローラ１０７ｃは従動ローラ、第３のベルト懸回ローラ１０７ｄはテンションローラ、第４のベルト懸回ローラ１０７ｅは二次転写ローラに対向するローラである。
【０００７】
二次転写ローラ１０７ｇとクリーニング器１０７ｈは中間転写ベルト１０７ａに対して退避可能である。
【０００８】
露光手段１０４において、入力された画像信号は不図示のイメージプロセッサでＣＭＹＫの各色の０〜２５５（ＦＦｈ）のレベルの画像信号に変換される。画像信号は、レーザー出力部にて光信号に変換され、光信号に変換されたレーザー光がポリゴンミラーで反射され、レンズ及び反射ミラーを経て感光ドラム１０１の表面に照射される。
【０００９】
画像形成時には、感光ドラム１０１を回転させ、前露光ランプ１０２で除電した後の感光ドラム１０１を帯電器１０３により一様に帯電させる。そして、露光手段１０４によりそれぞれの色に対応した露光Ｅを行い、感光ドラム１０１上に静電潜像を形成する。
【００１０】
次に、現像ロータリー１０６を回転させ、所定の現像器１０６Ｍ、１０６Ｃ、１０６Ｙ、１０６Ｋを現像部に移動させる。そして、その現像器にバイアスを印加して、感光ドラム１０１上の静電潜像を反転現像し感光ドラム１０１上に樹脂と顔料を基体とした現像剤像（トナー像）を形成する。
【００１１】
感光ドラム１０１上のトナー像は、一次転写ローラ１０７ｆに一次転写バイアスが印加されることで、中間転写ベルト１０７ａに転写される。感光ドラム１０１面上の転写残トナーは、クリーニング器１０８により除去される。
【００１２】
フルカラー画像の場合は、中間転写ベルト１０７ａ上にマゼンタトナー像、シアントナー像、イエロートナー像、ブラックトナー像の４つのトナー像が順次重ねられてフルカラートナー像が形成される。
【００１３】
一方、二次転写ローラ１０７ｇが所定の制御タイミングにて中間転写ベルト１０７ａを挟んで第４のベルト懸回ローラ１０７ｅに当接するように移動されて二次転写部Ｔ２が形成されている。この二次転写部Ｔ２に記録材が搬送されて、二次転写ローラ１０７ｇには転写バイアスが印加されることにより、中間転写ベルト１０７ａ上のフルカラートナー像が記録材Ｐに転写される。
【００１４】
そして、トナー像が転写された記録材は定着装置１０９へ搬送され、トナー像が記録材に定着される。
【００１５】
転写材分離後の中間転写ベルト１０７ａ上の転写残トナーは、クリーニング器１０７ｈによりクリーニングされる。
フルカラートナー像の定着は、トナーの載り量と生産性とは大きく関係している。例えば、特許文献１のように、４色画像の場合の記録材上のトナー載り量よりも６色画像の場合の記録材上のトナー載り量が小さいために、トナー載り量が少ない場合には生産性を高めることができることが記載されている。
【００１６】
４色画像の生産性を高めるためには、特許文献２のような構成が挙げられる。用紙搬送部の搬送速度を副操作速度切換部で高速にしたときに，主走査方向の画像形成の繰返し周期を通常の速度のときよりも間引く画像間引き部を設けている．このようにして、記録材上のトナー載り量を少なくするものである。
【特許文献１】特開２００５−００３９２５号公報
【特許文献２】特開平０５−２２１０２５号公報
【発明の開示】
【発明が解決しようとする課題】
【００１７】
しかし、特許文献２のように、生産性を上げるために記録材上のトナー載り量を減らすと、トナー載り量を減らした分だけ出力可能な最大濃度が低下する問題が発生する。そのため、最大濃度を低下させることなく、記録材上のトナー載り量を低下させて、生産性を高められる画像形成装置が要求される。
【課題を解決するための手段】
【００１８】
上記の課題を解決する手段として、少なくとも一の像担持体と、イエロー、マゼンタ、シアン、ブラックの４色トナーのみで記録材上に画像を形成する第一画像形成モードと、イエロー、マゼンタ、シアン、ブラックの色の中で少なくとも一の色は第一画像形成モードに用いられるの色に対して同じ色相で濃度が濃い色である色のトナーを用い、４色トナーのみで記録材上に画像を形成する第二画像形成モードと、を有する画像形成装置において、第二画像形成モードで形成される画像の最大載り量は第一画像形成モードで形成される画像の最大載り量よりも小さく、第二画像形成モードにより形成される画像の最大濃度は第一画像形成モードにより形成される画像の最大濃度と実質的に同じであり、第二画像形成モードの単位時間当りの画像形成数は第一画像形成モードの単位時間当りの画像形成数よりも大きいことを特徴とする。
【発明の効果】
【００１９】
本発明によると、高濃度領域の濃度を低下させることなく、生産性を高めることができる。
【発明を実施するための最良の形態】
【００２０】
以下、本発明に係る画像形成装置を図面に則して更に詳しく説明する。尚、画像形成装置の構成部品の寸法、材質、形状、及びその相対位置等は、特に特定的な記載がない限りは、この発明の範囲をそれらのみに限定する趣旨のものではない。
【００２１】
［実施例１］
図１には、本発明の実施例のフルカラー画像形成装置の概略断面図を示す。本例は、上部に画像読取部であるリーダ部３００、下部に画像形成部であるプリンタ部１００を有する。
【００２２】
リーダ部３００において、原稿台ガラス２３１上の原稿２３０が露光ランプとミラーを含む光学移動系２３２により露光走査される。そして、反射光像をレンズ２３２により、フルカラーＣＣＤセンサ２３４に集光しカラー色分解画像信号を得る。カラー色分解画像信号は不図示の増幅回路を経て、不図示のビデオ処理ユニットにて処理を施され、不図示の画像メモリを介してプリンタ部１００の制御部に送出される。
【００２３】
プリンタ部１００の制御部には、リーダ部３００からの信号のほか、コンピュータからの画像信号、ＦＡＸからの画像信号が入力される。
【００２４】
次にプリンタ部１００について説明する。図２はプリンタ部１００の拡大図である。
【００２５】
本実施例のプリンタ部１００には、大きく分けて２部の画像形成手段が設けられている。即ち、第１の感光ドラム１ａを含む第１の画像形成部Ｓａ、第２の感光ドラム１ｂを含む第２の画像形成部Ｓｂが中間転写ベルト（中間転写体）装置５７に対して配置されている。これら第１と第２の画像形成部Ｓａ、Ｓｂは互いにほぼ同じ構成（形状）となっている。具体的には、感光ドラム、クリーニング装置の構成等が同じ構成である。
【００２６】
像担持体としての２個の感光ドラム、即ち第１の感光ドラム１ａ及び第２の感光ドラム１ｂは、各々図１中の矢印方向に回転自在である。それぞれの感光ドラム１ａ、１ｂの周りに、前露光ランプ１１ａ、１１ｂ、コロナ帯電器（帯電手段）２ａ、２ｂ、露光手段である第１のレーザー露光光学系３ａ、第２のレーザー露光光学系３ｂが設けられている。また、感光ドラム上の電位を検知する電位センサ１２ａ、１２ｂが設けられている。また、各々の保持部に色の異なる現像剤収容した４個の現像器（現像手段）４１〜４４及び４５〜４８がそれぞれ現像ロータリーに収容されている。また、一次転写手段である一次転写ローラ５ａ、５ｂ、クリーニング手段６ａ、６ｂが配置されている。
【００２７】
現像器４１〜４４にはそれぞれ、濃度の低いほうのマゼンタ、シアン、イエロー、ブラックの各色トナーが、現像器４５〜４８には濃度の高いほうのマゼンタ、シアン、イエロー、ブラックの各色トナーが充填されている。
【００２８】
ここで、濃度の低いトナーおよび高いトナーは、分光特性が等しい顔料の含有量を変えて作成される。即ち、同じ色相で濃度が異なるトナーとなる。
【００２９】
本実施例１においては、濃度が低い方の各色トナーは、紙上の単位面積あたりの密度が０．５５［ｍｇ／ｃｍ２］のときに反射濃度が１．６である。また、濃度が高いほうの各色トナーは、紙上の単位面積あたりの密度が０．３０［ｍｇ／ｃｍ２］のときに反射濃度が１．６である。このとき、濃度が高いほうの各色トナーの着色剤含有量は、濃度が低い方のそれにくらべて約２倍となる。以下、濃度が低い方のトナーを「通常トナー」、濃度が高いほうのトナーを「濃トナー」と呼ぶこととする。
【００３０】
本実施例では、現像器４１〜４８にはトナーとキャリアを混合させて用いる二成分現像剤が充填されているが、トナーのみからなる一成分現像剤でも問題はない。
【００３１】
レーザー露光光学系３ａ、３ｂにおいて、リーダ部３００からの画像信号は、不図示のレーザー出力部からのレーザー光Ｅがポリゴンミラー２３５で反射される。そして、レンズ２３６及び反射ミラー２３７を含む光学系を経て帯電器により帯電された感光ドラム１ａ、１ｂに照射される。
【００３２】
露光されて形成された静電潜像に基づいて、現像手段のスリーブ（トナー担持部材）に電圧が印加されて、感光ドラム１ａ、１ｂ上に樹脂と顔料を基体とした現像剤像（トナー像）が形成される。
【００３３】
また、現像器４１〜４８内のトナーは図１に示すように、各色ごとのトナー収容部（ホッパー）６１〜６８から現像器内のキャリアに対するトナー比率を一定に保つように、所定のタイミングにて随時補給される。
【００３４】
中間転写ベルト装置５７は、中間転写体としてのフレキシブルなエンドレスベルト状の中間転写ベルト５が用いられる。この中間転写ベルト５は、第１〜第４の４本の平行配列のベルト懸回ローラ５１〜５４により、懸回張設されている。一次転写ローラ５ａ、５ｂ、は、中間転写ベルト５の内側に配設され、中間転写ベルトを挟んで感光ドラム１ａと１ｂにそれぞれ圧している。また、二次転写ローラ５５は、中間転写ベルト５を挟んで第４のベルト懸回ローラ５４に圧している。ベルトクリーニング装置５０は、中間転写ベルト５を挟んで第１のベルト懸回ローラ５１に圧している。中間転写ベルト５は駆動ローラとした第１のベルト懸回ローラ５１の駆動力で矢印の方向に所定の速度で回転駆動される。第２のローラ５２は従動ローラ、第３のローラ５３はテンションローラ、第４のローラ５４は二次転写対向ローラである。二次転写ローラ５５は中間転写ベルト５を挟んで第４のローラである二次転写対向ローラ５４に当接して二次転写部Ｔ２を形成する。
【００３５】
第１と第２の画像形成部ＳａとＳｂのそれぞれの感光ドラム１ａ、１ｂ上に形成されたトナー像は、一次転写ローラ５ａ、５ｂによって一次転写部Ｔ１ａとＴ１ｂにおいて中間転写ベルト５上にトナー像が重ねて形成されるように、順次一次転写される。このとき、一次転写ローラ５ａ、５ｂに一次転写バイアスが印加される。その結果、中間転写ベルト５上に、それぞれのトナー像が順次重ねられてフルカラートナー像が形成される。
【００３６】
その後、中間転写ベルト５上のトナー像は、二次転写ローラに電圧が印加されることで、二次転写部Ｔ２において記録材に一括して二次転写される。
【００３７】
また、従動ローラ５２に対向させて、それぞれのドラム１ａ、１ｂから転写された画像の位置ずれおよび濃度の検知を行うセンサ５６が配置されている。このセンサー５６により、随時第１と第２の各画像形成部Ｓａ、Ｓｂに画像濃度、トナー補給量、画像書き込みタイミング、および画像書き込み開始位置等に対して補正をする制御を行っている。
【００３８】
また、駆動ローラ５１に対向した転写クリーニング装置５０は、記録材への転写後に中間転写ベルト５を介して駆動ローラ５１を圧するように当接を開始する。そして、この転写クリーニング装置５０は、転写材Ｐに転写した後の中間転写ベルト５上の残トナーをクリーニングする。クリーニング終了後、転写クリーニング装置５０は次の画像形成に備えて、前記中間転写ベルト５より離間する。
【００３９】
一方、記録材Ｐは第１〜第３の収納部７１、７２、７３または手差しトレイ７４から各々の給紙手段８１、８２、８３、８４によって一枚ずつ搬送される。そして、レジストローラ８５にて斜行を補正し、所望のタイミングにて中間転写ベルト５上のトナー像を転写材に転写する二次転写手段である二次転写ローラ５５と中間転写ベルト５との間の二次転写部Ｔ２に搬送される。
【００４０】
二次転写部Ｔ２にてトナー像が転写された記録材Ｐは搬送部８６を通り、熱ローラ定着装置９にて熱によりトナー像は記録材に定着される。その後、記録材Ｐは、排紙トレイ８９あるいは不図示の用紙後処理装置に排紙される。
【００４１】
また、転写材の両面に画像を形成する場合には、記録材Ｐが定着装置９を通過後、搬送パス切り替えガイド９１を駆動し、記録材は搬送縦パス７５を経て反転パス７６に搬送される。そして、反転ローラ８７の逆転により、送り込まれた際の後端を先頭にして、送り込まれた方向と反対向きに退出させ、両面搬送パス７７へと送られる。その後、両面搬送パスを通過し両面搬送ローラ８８にて斜行補正とタイミング取りを行い、所望のタイミングにてレジストローラ８５へと搬送され、再び上述した画像形成工程によって他面に画像が形成される。
【００４２】
本画像形成装置は、「通常速度画像形成モード」（＝第１の画像形成モード）と「高速度画像形成モード」（＝第２の画像形成モード）の２つの画像形成モードを備えている。通常の画像形成時には、通常速度画像形成モードに設定されており、オペレータの操作により高速度画像形成モードに変更することができる。即ち、高濃度画像を割合が高い画像を短時間でできるだけ多く出力したいような場合には、高速度画像形成モードが有効である。
【００４３】
図３にモード制御のフローチャートを示す。制御部は画像形成信号が入力されて、画像形成をスタートすると（Ｓ１）、画像形成モードが上記のいずれのモードであるかを判断する（Ｓ２）。ステップＳ２において「通常速度画像形成モード」が選択されたときには（Ｓ３）、第１と第２の画像形成部ＳａとＳｂのうちの、通常トナーを用いている第１の画像形成部Ｓａだけによる画像形成（Ｓ４）が実行される。即ち、通常トナーのみを用いた画像を出力される（Ｓ７）。一方、ステップＳ２にて「高速度画像形成モード」が選択されたときには（Ｓ５）、第１と第２の画像形成部ＳａとＳｂのうちの、濃トナーを用いている第２の画像形成部Ｓｂだけによる画像形成（Ｓ６）が実行される。即ち、濃トナーのみを用いた画像が出力される（Ｓ７）。
【００４４】
本実施例においては、「通常速度画像形成モード」におけるカラー画像形成速度はＡ４サイズ３０枚／分、「高速度画像形成モード」における画像形成速度はＡ４サイズ５０枚／分である。
【００４５】
本実施例１において、第１、第２それぞれの画像形成モードで画像形成した際の、画像信号値に対する記録材上のトナー載り量（以下紙上Ｍ／Ｓと表す）の特性を図４に示す。また一例として、シアントナーのみにより画像形成を行った際の、画像信号値に対する形成後画像の反射濃度の特性を図５に示す。図４、図５から、本実施例１のように通常トナーに対して濃度の十分高い（実施例１では約２倍の色材含有量の）「濃トナー」を使用することにより、高濃度側の色域再現性を低下させることなく高速度での画像形成を実現することが可能と分かる。
【００４６】
即ち、第一画像形成モードによる最大濃度と第二画像形成モードによる最大濃度とは入力される最大信号値に対して実質的に等しい１.６となっていることが分かる。
【００４７】
図５を参照すると、濃トナーを使用する際には、低濃度領域から中間濃度領域での再現性については通常トナーよりも低下することがわかる。その理由は以下の通りである。濃トナーによる画像形成では，通常トナーによる画像形成に比べて紙上Ｍ／Ｓは半分になる。そのため，低濃度領域の画像においては，濃トナーによる画像は通常トナーによる画像に比べて記録材の露出度合いが大きく，トナーＭ／Ｓ変化に対する濃度変化の感度が下がる。よって，信号に対する濃度変化割合が小さくなる。トナーが記録材上をある程度十分に覆う濃度領域になると，記録材の露出が小さくなり，濃度変化に影響しなくなる．したがって，濃トナーによる画像形成では，高濃度側の色域再現性は通常トナーによる画像形成と同等に維持される。
【００４８】
［実施例２］
本実施例２においては、ブラックトナーに濃度が高いブラックと濃度が低いブラックとを有するものである。そのため、フルカラー画像を出力する際には画質を優先するために通常の濃度のトナーを使用する。モノクロ画像で、画質よりも画像出力速度を優先する際には濃度の濃いブラックトナーのみ、画質を優先する際には通常の濃度のブラックトナーのみを使用する。
【００４９】
図８には、本発明の実施例２におけるフルカラー画像形成装置の概略断面図を示す。
【００５０】
本実施例では、現像器４１〜４４にはそれぞれ、マゼンタ、シアン、イエロー、ブラックの各色のトナーが、現像器４８には現像器４４のブラックトナーよりも濃度の高いブラックトナーが充填されている。
【００５１】
本実施例において、マゼンタ、シアン、イエロー各色、および濃度が低い方のブラックトナーは、紙上の単位面積あたりの密度が０．５５［ｍｇ／ｃｍ２］のときに反射濃度が１．６である。また、濃度が高いブラックトナーは、紙上の単位面積あたりの密度が０．３０［ｍｇ／ｃｍ２］のときに反射濃度が１．６である。このとき、濃度が高いほうのブラックトナーの着色剤含有量は、濃度が低い方のブラックトナーにくらべて約２倍となる。以下、濃度が低い方のブラックトナーを「通常ブラックトナー」、濃度が高いほうのトナーを「濃ブラックトナー」と呼ぶこととする。
【００５２】
本画像形成装置では、「モノクロ画像形成モード」と「フルカラー画像形成モード」の２つの画像形成モードを備えている。さらに「モノクロ画像形成モード」を選択した場合には、「通常速度画像形成モード」（＝第１の画像形成モード）と「高速度画像形成モード」（＝第２の画像形成モード）の２つの画像形成モードを備えており、オペレータの操作により選択できる。
【００５３】
図９は本実施例のモード制御のフローチャートである。不図示の画像制御部は画像形成信号が入力されて、画像形成をスタートすると（Ｓ１１）、「モノクロ画像形成モード」と「フルカラー画像形成モード」のいずれのモードであるかを判断する（Ｓ１２）。ステップＳ１２において「モノクロ画質形成モード」が選択されたときには、さらに、「通常速度画像形成モード」か「高速度画像形成モード」であるかを判断する（Ｓ１３）。ステップＳ１３において「通常速度画像形成モード」が選択されたときには（Ｓ１４）、ブラックトナーを充填した２つの現像器４４、４８のうち、通常ブラックトナーを充填している現像器４４だけによる画像形成（Ｓ１５）が実行される。即ち、通常ブラックトナーのみを用いた画像を出力させる（Ｓ１９）。一方、ステップＳ１３にて「高速度画像形成モード」が選択されたときには（Ｓ１６）、ブラックトナーを充填した２つの現像器４４、４８のうち、濃ブラックトナーを充填している現像器４８だけによる画像形成（Ｓ１７）が実行される。即ち、濃ブラックトナーのみを用いた画像を出力させる（Ｓ１９）。また、ステップＳ１２において「フルカラー画質形成モード」が選択されたときには、マゼンタ、シアン、イエロー各色トナー及び通常ブラックトナーを使用して画像形成（Ｓ１８）を実行し、フルカラー画像を出力させる（Ｓ１９）。
【００５４】
本実施例においては、「通常速度画像形成モード」におけるカラー画像形成モード速度はＡ４サイズ３０枚／分である。また、「白黒画像形成モード」のうち「通常速度画像形成モード」では画像形成速度はＡ４サイズ４０枚／分、「高速度画像形成モード」では画像形成速度はＡ４サイズ６０枚／分とすることができる。
【００５５】
［実施例３］
実施例３には、カラー画像形成装置において本発明の方法を実現する上記実施例１、２と異なる現像装置構成を示す。
【００５６】
図６に実施例３の現像装置の構成を図示する。本実施例３の現像装置３００は、図６に示す３０１、３０２の２つの現像剤収容部を有する。３０３〜３０６は現像剤攪拌混合部材（＝スクリュー）、３０７、３０８は現像剤担持体（＝現像スリーブ）であり、現像装置一つで２色の現像を別々に実現する構成となっている。
【００５７】
現像装置３００中央には現像装置回転軸３０９および不図示の現像装置回転駆動手段を有しており、回転軸３０９を中心に現像装置３００が回転する。その際には、不図示の現像装置移動手段により現像部から離間して回転を行う。現像装置３００の回転駆動によって現像スリーブ３０７、３０８のいずれを感光ドラム３１０に近接したトナー飛翔部へ移動させることにより、現像装置に充填された２色のトナーのいずれかのトナーによる画像形成が行われる。
【００５８】
単一の現像装置において、２つの現像剤収容部には同色の通常トナーと濃トナーが収容される。ユーザにより「通常速度画像形成モード」が選択された場合には、現像装置を回転駆動して通常トナーを担持した現像スリーブを感光ドラムに対向させる。また、「高速度画像形成モード」が選択された場合には、同様の操作により濃トナーを担持した現像スリーブを感光ドラムに対向させる。そして、対向した現像装置によりドラム上にトナー像を形成する。
【００５９】
図７には、実施例３の現像装置を用いたフルカラー画像形成装置の構成の一例を示す。図７のように、イエロー、マゼンタ、シアン、ブラック各色で現像装置４０１〜４０４を設け、中間転写ベルト４０５に対して配列させる。本構成により、画像形成装置本体が過度に大きくなることなく、本発明の方法を実現させることができる。
【００６０】
［その他］
１）以上の各実施例はカラー画像形成装置であるが、本発明は、単色画像形成装置（たとえばモノクロ）において通常トナーによる通常速度画像形成モードと、濃トナーによる高速度画像形成モードを選択的に実行する画像形成装置にも有効に適用できる。
【００６１】
２）以上の実施例は第１および第２の画像形成モードそれぞれに専用の像担持体を有する方法であったが、通常トナーによる現像器と濃トナーによる現像器を一つの像担持体の周囲に配置する方法でも本発明を実現することが可能である。
【００６２】
記録材に対する画像形成は、転写方式に限られず、直接方式による画像形成であってもよい。
【００６３】
３）画像形成装置のトナー像の作像原理・プロセスは電子写真に限られず、転写方式あるいは直接方式の静電記録方式、磁気記録方式など任意である。
【００６４】
４）通常トナーおよび濃トナーに含有される着色剤は顔料に限られるものではない。
【図面の簡単な説明】
【００６５】
【図１】実施例１の画像形成装置の概略構成図である。
【図２】プリンタ部の部分的拡大図である。
【図３】実施例１の画像形成モードのフローチャートである。
【図４】実施例１の通常トナー及び濃トナーで画像形成した際の画像信号値に対する転写材上のトナー載り量を説明するグラフである。
【図５】実施例１の通常トナーおよび濃トナーで画像形成した際の画像信号値に対する転写材上のトナー反射濃度を説明するグラフである。
【図６】実施例３における現像装置の構成を表す概略図である。
【図７】実施例３における画像形成装置の構成を表す概略図である。
【図８】実施例２における画像形成装置の概略構成図である。
【図９】実施例２の画像形成モードのフローチャートである。
【図１０】従来の画像形成装置の概略説明図である。
【符号の説明】
【００６６】
１ａ  第１の感光ドラム（像担持体）
１ｂ  第２の感光ドラム（像担持体）
３ａ、３ｂ  レーザー露光光学系
４ａ  第１の現像ロータリー
４ｂ  第２の現像ロータリー
５  中間転写ベルト（中間転写体）
４１〜４８  現像器
Ｓａ  第１の画像形成部
Ｓｂ  第２の画像形成部
【図１】
2008158050.tif 000003
【図２】
2008158050.tif 000004
【図３】
2008158050.tif 000005
【図４】
2008158050.tif 000006
【図５】
2008158050.tif 000007
【図６】
2008158050.tif 000008
【図７】
2008158050.tif 000009
【図８】
2008158050.tif 000010
【図９】
2008158050.tif 000011
【図１０】
2008158050.tif 000012